(57)【要約】      （修正有）【課題】天板フラップに切り込みを形成することにより、包装箱の封緘方法の井桁組みが容易に組み立てられるように天板を形成した梱包ケースを提供する。【解決手段】予め定めた形状に切断された一枚のシート材を予め定めた折れ線に沿って折り曲げて、上蓋部、側壁部、底部を形成された包装箱２において、上蓋部の天板フラップ２４にＴ字型３８ａ切り込みを形成させることにより、フラップを順次重ねて、井桁組みに封緘する際に最初に折り曲げ、最後に持ち上げて、右に隣接するフラップ４４の上面に交差・重ねる。この時のフラップへの力の抵抗、歪み及び皺等を軽減させ、封緘を容易にさせるよう形成されている。【選択図】図１
0003103128.tif 000002
【実用新案登録請求の範囲】
【請求項１】
予め定めた形状に切断された一枚のシート材からなる箱体の前後左右の側壁部と、各側壁部の上端より連接され、側壁部の上端で側壁部の内側へ折り曲げ、箱体の上蓋部を構成するフラップとを備え、前記フラップが左右に対向する一組の第１フラップ、前後に対向する第２フラップとからなり、第1右、第2前、第1左、第2後フラップの順に折り重ね封緘するとき、対向するフラップを内側に直角に折り曲げて、封緘した状態でフラップの先端に間隔のある天空きの包装箱において、第1フラップにはフラップ折り曲げ線と直角方向で先端に向け、その中央部分にT字形の切れ線が配設したことを特徴とする包装箱。
【請求項２】
前記シート材が段ボール紙製であることを特徴とする請求項1の記載の包装箱。      
【考案の詳細な説明】
【技術分野】
【０００１】
本考案は、予め定めた形状に切断された一枚のシート材からくみたてられる包装箱に関し、上蓋部の封緘を容易にするものである。
【背景技術】
【０００２】
この種の包装箱に物品を収納するときは、一般に、物品を包装箱に収納する前に包装箱の底部を構成する底部側フラップをステープルあるいは粘着テープなどで閉じ合わせ、物品を包装箱に収納後、上蓋部を構成する蓋部側フラップをステープルあるいは粘着テープなどで封緘する方法がもちいられている。
【０００３】
しかし、この方法で、ステープルを使用する場合は、止め金が収納する物品の傷を付けること、また、ステープルによる装着作業で手を怪我する危険を伴うという問題があった。
特に、収納する物品が農作物の場合、圃場にて農作物を包装箱に収納するために、ステープル装着用道具を圃場まで運搬する必要があり、その上、ステープルが誤って包装箱のなかに落下し、農産物に混入する可能性があった。
包装箱を開封する作業ではステープルによる手を裂傷する課題がある。また、ステープルが物品への混入する可能性があり、食品に異物混入する危険性として課題である。
【０００４】
ステープルの代わりに粘着テープが用いられることがあるが、この場合も粘着テープのコスト分だけ包装箱の組立て製造原価が増加するという問題があった。
したがって、これらの課題を解決するために依然よりステープルあるいは粘着テープなどを用いず、包装箱の上蓋部のフラップを重ね合わせ封緘する方法の井桁組みもあり、一部では用いられているところである。
しかし、この方法だとフラップを重ね、最終フラップの上に最初に折り曲げたフラップを持ち上げて、交差させるのに、強い力を要すること、そしてその力が分散し、特定箇所に力が集中できず、フラップの変形と皺が発生する問題もあった。
【０００５】
【特許文献１】実開昭６０−０９０１１５号
【考案の開示】
【考案が解決しようとする課題】
【０００６】
本考案の目的は、物品を包装箱に収容後、フラップの凹凸が少なく、スムースに封緘ができ、かつ、安価な包装箱を提供する。
【課題を解決するための手段】
【０００７】
上記目的を達成するために、予め定めた形状に切断された一枚のシート材からなる箱体の前後左右の側壁部と、前記側壁部の上端より連接され側壁部の上端で側壁部の内側へ折り曲げられ、前記箱体の上蓋部を構成するフラップを備えている。
前記フラップが対向する一組の前記側壁部の上端より連接される第１右フラップの中央より左側に、フラップ折り曲げ線と直角線上の中央部にT字形の切り込みと、第２後フラップと隣接側、すなわち右端が斜めカットされた包装箱において、上蓋部の井桁組み封緘が容易にできることを特徴とする。
【考案の効果】
【０００８】
このように構成すると、前記井桁組みを実施する際に、第１右フラップの切り込みは同フラップを持ち上げ、第２後フラップの上面に重ねるときに、第１フラップに架かる歪み及び抵抗がＴの字形の切り込みに吸収緩和され、交差・重ねが容易にでき、皺の発生が軽減する。
【０００９】
第１右フラップ右端を斜めにカットすることにより、前記同様に重ねる際に第２後フラップとの抵抗が緩和され、重ねが容易にできる。
【００１０】
第１右フラップの切り込み線は棒状の切り込みでもよいが、Ｔの字の形に切り込みすることにより、切り込み線の延長線上の破れの危険性の減少につながる。
また、切り込みの位置は第２前フラップの外側、つまりダンボール箱の中央よりにシートの厚さ強の間隔に取ると良い、このことにより、前記の歪みが第2前フラップ面の下から逃がすことができ、上蓋の凹凸の緩和になる。
【００１１】
前記シート材が段ボール紙製であるとよい。
それにより、前記シート材が段ボール紙製であることから包装箱の重量を軽くすることができる。材料を安価な段ボール紙を用いると、包装箱自体を安価に製造することができる。しかも、包装箱を廃棄しても包装箱全体が段ボールだけで形成されているために環境を汚染することが無く、リサイクルを容易にする。
【考案を実施するための最良の形態】
【００１２】
以下に、本考案の実施形態を、添付図面に基づいて説明する。
図1~図3を参照して包装箱2の構成について説明する。
包装箱2は、図3に示すように、予め定めた形状に切断された一枚のシート材4から組み立てられている。
包装箱2の側壁部は、前側壁部８２、後側壁部４２、右側壁部２２、左側壁部６２で構成されている。
【００１３】
包装箱２の上蓋部を構成する蓋部側フラップは、対向する一組の第1右フラップ２４と第1左フラップ６４及び対向する他の一組の第2前フラップ８４と第2後フラップ４４からなる。
包装箱2の底部を構成する底部側フラップは、対向する一組の第3右フラップ２６と第３左フラップ６６及び対向する他の一組の第４前フラップ８６と第４後フラップ４６からなる。
【００１４】
前側壁部８２の左側壁部６２の側とは略帯状の糊代９８が連接されている。前側壁部８２と後側壁部４２とは、前側壁部８２に設けられた糊代９８以外は同じ形状であるので、ここでは前側壁８２についてのみ説明し後側壁部４２については、説明を省略する。
同様に包装箱２の底部も上蓋部と同じ形状にあるので、説明を省略する。
【００１５】
右側壁２２の上端に連接された第１フラップ２４の中央左側近辺には、前記の井桁組み封緘の際、第1右フラップ２４を持ち上げ第２後フラップ４４の上に重ねるとき歪みを吸収するT字型３８ａの切り込みが設けられている。
【００１６】
さらに、右側２２の第１フラップ２４の右端には第２後フラップ４４に重ねる時の抵抗を軽減するために斜めに３６ｂがカットされている。
【００１７】
包装箱２を組み立てるには、図３に示すシート材４において、左側壁部６２を折れ線７５に沿って谷折りになるように折り曲げる、ここで、谷折とは紙面の上側凹となるように折り曲げることを意味する。右側壁部２２を折れ線５５に沿って谷折り内側に折り曲げる。前壁部８２を折れ線３５に沿って谷折り内側に折り曲げる。前側壁部８２の端に設けられた糊代９８を折れ線９５に沿って谷折となるように折り曲げる。そして、さらに糊代９８を６２の左側壁部６２の端部の内側に接着剤で接着すると、包装箱２の形成がされる。
【００１８】
包装箱２の底部を形成するために、第３右フラップ２６を折れ線３３に沿って右側壁部
２２に直角に右側壁部２２の内側へ折り曲げる。同様に、第３左フラップ６６を折れ線７３に沿って左側壁部６２に直角に左側壁部６２の内側へ折り曲げる。
【００１９】
その後、第４前フラップ８６を折れ線９３に沿って前側壁部８２に直角に前側壁部８２の内側へ折り曲げる。同様に、第４後フラップ４６を折れ線５３に沿って後側壁部４２に直角に後前側壁部４２の内側へ折り曲げる。
そして、折り曲げられた第４前フラップ８６と第４後フラップ４６が既に折り曲げられた第３右フラップ２６と第３左フラップ６６の下面に包装箱２の下側から接するように組み立てると包装箱２の底部が形成される。
【００２０】
この状態で、第４前フラップ８６と第４後フラップ４６とをステープルあるいは粘着テープなどで結合する。
【００２１】
次に、包装箱２の上蓋部を形成するために、次の順序にて、第1右フラップ２４を折れ線３１に沿って右側壁部２２の内側へ折りまげ、次に、第2前フラップ８４を折れ線９１に沿って前側部８２の内側へ折り曲げる。次に、第１左フラップ６４においても同様に折れ線７１にそって内側に折り曲げる、同様に、第２後フラップ４４を折れ線５１に沿って後壁部４２の内側へ折り曲げる。
次に最初に折り曲げた第1右フラップ２４の右側、つまり、第２後フラップ４４に隣接している側を持ち上げて第２後フラップ４４の上面に重ね、フラップを交差させると上蓋部が形成される。
第1右フラップ２４を第２後フラップ４４の上面に重ね合わせる時、持ち上げる抵抗が大きく、フラップシートに歪み、皺が発生する。特に硬いシートでは抵抗が大きくなる。第1右フラップ２４の切り込み３８aがこの力を折り曲がりやすくなることにより吸収し、交差・重ねを容易にし、皺の発生を低減させ、封緘後の上蓋部の凹凸をも緩和させる。
同様に同フラップ３６ｂのカットは第２後フラップ４４と、交差し上面に重ねる時の抵抗を緩和させ、封緘を容易にさせる。
【００２２】
また、本実施例では、前後左右の側壁部８２、４２、６２、２２で形成される包装箱２の形状を直方体としたが、直方体に限定されることはなく、例えば立法体形状であってもよい。
尚、３８ａの切り込み、３６ｂのカットは２箇所あってもよい、例えば第１左フラップ６４側にあってよい。どちらからの封緘も可能にする。
以上、本考案を説明したが、本考案はこれに限定されず、本考案の要旨を逸脱しない範囲で種々の態様を採用できる。
【図面の簡単な説明】
【００２３】
【図１】包装箱の完成状態を示す斜視図である。
【図２】包装箱の下部構造を示す斜視図である。
【図３】包装箱を一枚のシート材に展開した状況を示す斜視図である。
【符号の説明】
【００２４】
２…包装箱
４…シート材、
２２…右側壁部    ２４…第１右フラップ    ２６…第３右フラップ
３１…折れ線（罫線）    ３２，３５…折れ線    ３６ｂ…カット  
３８ａ…切り込み
４２…前側壁部    ４４…第２後フラップ    ４６…第４後フラップ
５１，５５，５６…折れ線、
６２…右側壁部    ６４…第１左フラップ    ６６…第３左フラップ
７１，７３，７５…折れ線
８２…後側壁部    ８４…第２前フラップ    ８６…第４前フラップ
９２，９３，９５…折れ線、
９８…糊代  
３０，７０手かぎ
５０，５４，９０，９４…通気穴、
３２，５２，７２，９２，５６，９５…水抜き穴      
【図１】
0003103128.tif 000003
【図２】
0003103128.tif 000004
【図３】
0003103128.tif 000005